(57)【要約】【課題】照度センサが例えば埃等を被って照度検出精度が低下した場合に、その検出精度低下を校正することができる照明制御装置を提供することにある。【解決手段】調光可能の照明器具４と；照度を検出する無線照度センサ５と；この照度センサにより検出された照度検出値に基づいて、照明器具の出力を制御する照明制御手段２ａおよび照明器具の少なくとも２以上の所要の調光度における照度センサの照度検出値を所定期間記録し、その記録の開始時の初期値と所定時間経過後の実測値について、調光度と照度検出値との相関関係を示す関係式をそれぞれ演算し、この関係式に実測値の調光度と照度検出値を代入することにより、この実測値を校正する照度検出値校正手段２ｄを有する照明コントローラ２と；を具備している照明制御装置。【選択図】  図１
2009231136.tif 000002
【特許請求の範囲】
【請求項１】
調光可能の照明器具と；
照度を検出する照度センサと；
この照度センサにより検出された照度検出値に基づいて、照明器具の出力を制御する照明制御手段および照明器具の少なくとも２以上の所要の調光度における照度センサの照度検出値を所定期間記録し、その記録開始時の初期値と所定時間経過後の実測値について、調光度と照度検出値との相関関係を示す関係式をそれぞれ演算し、この関係式に実測値の調光度と照度検出値を代入することにより、この実測値を校正する照度検出値校正手段を有する制御装置と；
を具備することを特徴とする照明制御装置。
【請求項２】
照度センサは、その移動を検出する移動検出手段を有し、
制御装置は、移動検出手段が照度センサの移動を検出したときに、移動後の調光度と照度検出値との相関関係を演算すると共に、実測値を校正することを特徴とする請求項１記載の照明制御装置。
【発明の詳細な説明】
【技術分野】
【０００１】
本発明は照明器具とは別体の照度センサの照度検出値に基づいて照明器具の調光をフィードバック制御する照明制御装置に関する。
【背景技術】
【０００２】
従来、この種の照明制御装置の一例としては、下記の特許文献１に記載された照明システムがある。これは、自動調光照明装置の設置後、設定器を操作して調光出力１００％、５０％、２０％で照明器具を点灯させる。また、その点灯の都度、照度センサにより検出した照度検出値を自動調光照明装置へ通信手段により送信する。照明コントローラは受信したこの照度検出値と、そのときの内蔵照度センサの検出電圧を記憶し、この３つの点灯パターンデータをもとに照度とセンサ電圧の関係図を作成し、保持する。
【０００３】
そして、照度指定時には、この関係図に基づいて指定照度に対応した検出電圧になるように照明コントローラにより照明器具への調光出力を調整する。このために、調光出力を指定照度に調整することができる。
【特許文献１】特開２０００−２８６０６６号公報
【発明の開示】
【発明が解決しようとする課題】
【０００４】
しかしながら、このような従来の照明システムでは、照度センサを照明エリアの机上等に載置した状態で長期間使用する場合には、照度センサのセンサ面が埃等を被る場合がある。この場合は、その照度検出値が本来の検出値よりも低下し、照度検出精度が低下するので、所望の照度が得られないという問題がある。
【０００５】
また、照度検出値と照度目標値との差が照度検出値の低下分大きくなるので、これら照度検出値と照度目標値との差に基づいて照明器具の出力をフィードバック制御する際の調光出力を上げてしまい、無駄なエネルギーを消費するという課題がある。
【０００６】
本発明は、このような事情を考慮してなされたもので、その目的は、照度センサが例えば埃等を被って照度検出精度が低下した場合に、その検出精度低下を校正することができる照明制御装置を提供することにある。
【課題を解決するための手段】
【０００７】
請求項１に係る照明制御装置は、調光可能の照明器具と；照度を検出する照度センサと；この照度センサにより検出された照度検出値に基づいて、照明器具の出力を制御する照明制御手段および照明器具の少なくとも２以上の所要の調光度における照度センサの照度検出値を所定期間記録し、その記録開始時の初期値と所定時間経過後の実測値について、調光度と照度検出値との相関関係を示す関係式をそれぞれ演算し、この関係式に実測値の調光度と照度検出値を代入することにより、この実測値を校正する照度検出値校正手段を有する制御装置と；を具備することを特徴とする。
【０００８】
請求項２に係る照明制御装置は、照度センサは、その移動を検出する移動検出手段を有し、
制御装置は、移動検出手段が照度センサの移動を検出したときに、移動後の調光度と照度検出値との相関関係を演算すると共に、実測値を校正することを特徴とする。
【発明の効果】
【０００９】
請求項１に係る照明制御装置によれば、校正した照度検出値に基づいて照明器具の出力を制御することができるので、照度センサの設置位置において所望の照度を得ることができると共に、校正前の低い照度検出値に基づいて調光する場合の電力の消費を抑制し、省エネルギー化を図ることができる。
【００１０】
請求項２に係る発明によれば、照度センサの移動検出手段により照度センサの移動を検出したときには、その移動前に記録した照度検出値の実測値を初期化するので、移動後の照度検出値に基づいて照度検出値を校正することができる。
【発明を実施するための最良の形態】
【００１１】
以下、本発明の実施形態を添付図面に基づいて説明する。
【００１２】
図１は本発明の一実施形態に係る照明制御装置１の全体構成の一部を省略して示す構成図である。この図１に示すように照明制御装置１は、制御装置としての照明コントローラ２に信号伝送線３を介してそれぞれ接続された複数の照明器具４，４，４，…と、これらの各照明器具４からの光や外光を受光して照度を検出する照度センサとしての無線照度センサ装置５と、を具備している。
【００１３】
各照明器具４は、天井等所要箇所に配設される器具本体に、無線照度センサ装置５により検出された照度検出値信号を無線で受信して信号伝送線３を介して照明コントローラ２に伝送する中継器（図示省略）と、図示しない商用電源を供給する給電線から受電してソケットに装着された光源等を点灯するインバータ点灯装置等の点灯装置を配設している。なお、中継器は、照明コントローラ２に配設してもよいし、信号伝送線３に接続してもよい。また、照明コントローラ２および無線照度センサ装置５と無線通信を行う構成でもよい。
【００１４】
各無線照度センサ装置５は、例えば照明器具４により照明される照明エリアの机上等の被照面や室内壁等に配設される可搬型に構成されており、照度を検出する図示しない照度センサ、この照度センサにより検出された照度検出信号を無線で照明器具の中継器に送信する無線送信手段、この無線照度センサ装置５を、その配置箇所から持ち上げる等移動させたときと、この無線照度センサ装置５を再度所要の場所に配置したときと、をそれぞれ検出して無線照度センサ装置５の移動を検出するリミットスイッチや光学式スイッチ等の移動検出手段５ｆ、この移動検出手段５ｆにより無線照度センサ装置５の移動が検出されたときの移動検出信号と、照度センサにより検出された照度検出値信号と、を照明器具４の中継器に無線送信する無線送信手段を具備している。
【００１５】
照明コントローラ２は、例えばマイクロプロセッサを有し、複数の照明器具４，４，４，…を集中的に制御するために、メモリ２ａ，通信手段２ｂ，照明制御手段２ｃ，照度検出値校正手段２ｄ，設定手段２ｅを具備している。
【００１６】
メモリ２ａは、各照明器具４のアドレスを予め記録すると共に、各照明器具４の目標照度等を設定する図示しない設定器や壁スイッチ等のオンオフスイッチのアドレスを各照明器具４のアドレスと対応させて予め記録してある。
【００１７】
通信手段２ｂは、各無線照度センサ装置５により検出された照度検出値信号を各照明器具４の中継器を介して受信する一方、各照明器具４の点、消灯や調光を制御する照明制御信号を所定のアドレスの照明器具４の点灯装置に信号伝送線３を介して伝送する機能を有する。
【００１８】
照明制御手段２ｃは、設定器により設定された照度目標値、または設定手段２ｅにより設定された照度目標値と、通信手段２ｂから受けた所要のアドレスの無線照度センサ装置５からの照度検出値と、を比較し、照度検出値を照度目標値に一致し、かつ一定にするための調光信号を通信手段２ｂおよび信号伝送線３を介して当該アドレスの照明器具４の点灯装置に与える。
【００１９】
また、照明制御手段２ｃは、通信手段２ｂから受けた壁スイッチのオン／オフ信号を受けたときに、当該アドレスの壁スイッチに対応付けられているアドレスの照明器具４のオン／オフを制御する照明制御信号を通信手段２ｂにより信号伝送線３に伝送する。
【００２０】
照度検出値校正手段２ｄは、通信手段２ｂを介して受けた無線照度センサ装置５により検出された照度検出値を校正して照明制御手段２ｃに与える。
【００２１】
照度検出値校正手段２ｄは、無線照度センサ装置５を長期間使用すると、塵埃等を被り、無線照度センサ装置５の照度検出値が低下するので、その照度検出値を校正するものである。
【００２２】
その校正方法は、少なくとも２つの所要の調光度（率）で照明器具４を調光点灯した時の無線照度センサ装置５の照度検出値を所定期間記録し、その記録開始時の初期値と所定時間経過後の実測値とを比較し、その差分を初期値に基づいて校正するものであり、次に、その具体的な校正方法の一例を説明する。
【００２３】
図２は、照明器具４の調光率（％）と、無線照度センサ装置５の照度検出値（ｌｘ）との相関関係を示すグラフである。図中、Ｙ１は、初期値であり、５０％と１００％の調光度で照明器具４を点灯したときに、無線照度センサ装置５により検出された照度検出値と調光度との相関関係を示す。Ｙ２はその記録開始から所定時間経過時（すなわち校正時）の実測値を示す。なお、５０％と１００％の調光度における照度の検出は複数回行い、平均化した照度検出値を用いるのが好ましい。
【００２４】
すなわち、照度検出値校正手段２ｄは、照明器具４を例えば２つの調光率、例えば５０％と１００％で調光点灯し、この時に、無線照度センサ装置５によりそれぞれ検出される２つの照度検出値を読み取る。さらに、この２つの照度検出値を直線により結ぶと線形のグラフとなり、その傾きａと外光照度ｂが決定する。この記録開始時の照度検出値である初期値Ｙ１は、次の（１）の関係式により表わすことができる。  
［数１］
Ｙ１＝ａＸ１＋ｂ        ………（１）
ａ：調光率と照度検出値の相関関係を示すパラメータ（傾き）
ｂ：調光率が０（ゼロ）のときの外光の照度検出値
すなわち、照明器具４を２つの調光率（例えば５０％と１００％）でそれぞれ調光したときに、無線照度センサ装置５によりそれぞれ検出された２つの照度検出値により、その特性が一義的に直線で決定され、この直線の傾きａも決定する。
【００２５】
この照度検出値は、その記録開始時から時間の経過に伴なって無線照度センサ装置５のセンサ面等に堆積される塵埃の堆積量が増加するに従って低下するので、所定期間経過後の照度検出値Ｙ２は、線形に近似し、次の（２）式により表わすことができる。  
［数２］
Ｙ２＝ａ′Ｘ２＋ｂ′      ………（２）
ａ′とｂ′は所定時間経過後の上記ａとｂを示し、上記と同様の方法で求めることができる。
【００２６】
したがって、所定時間経過後、上記Ｘ２とＹ２が判明すれば、所定時間経過後の外光ｂ′を算出することができ、傾きａ′は予め測定により求められているので、上記（１）式のＹ１とｂへ、数値Ｙ２とｂ′をそれぞれ代入することにより、そのとき（すなわち校正時）の外光と調光率で本来得られる検出値Ｙ１を求めることができる。ここで本来とは、無線照度センサ装置５に塵埃が無い初期状態をいう。
【００２７】
つまり、所定時間経過後に無線照度センサ装置５により実測された照度Ｙ２を検出することにより、校正後の照度検出値を（１）式のＹ１として求めることができる。上記（１）式と（２）式の連立方程式と、初期時および校正時のａ，ｂはメモリ２ａに記録され、照度検出値校正手段２ｄは上記Ｘ２とＹ２の入力に応じてＹ１を求めるプログラムを実行する。
【００２８】
そして、この校正後の照度検出値は照明制御手段２ｃに与えられる。この照明制御手段２ｃは、その校正後の照度検出値が上記設定器または設定手段２ｅにより設定された照度目標値に一致し、かつ一定するように照明器具４の出力をフィードバック制御する。
【００２９】
設定手段２ｅは、上述したように照度目標値を設定する機能を有する。また、この設定手段２ｅは、これにより設定された照度目標値が上記設定器により設定された照度目標値と不一致のときは、その一方を優先させて照明制御手段２ｃに与える。さらに、設定手段２ｅは、照明器具４や無線照度センサ装置５のアドレスを適宜変更して、これらのグループ分けを変更することができる。
【００３０】
無線照度センサ装置５は移動検出手段５ｆにより検出した移動検出信号を、照明器具４の中継器、信号伝送線３および照明コントローラ２の通信手段２ｂを順次介して、照度検出値校正手段２ｄに送信する。
【００３１】
照度検出値校正手段２ｄは、この無線照度センサ装置５の移動検出信号を受けたときに、上述したメモリ２ａに記録した所定時間経過後のＹ２を初期化し、無線照度センサ装置５の移動後に初期値Ｙ１および所定時間後の照度検出値Ｙ２と、これらの連立方程式（１），（２）式をメモリ２ａに記録し、再び、所定時間経過後のこの照度検出値を校正する。この再校正は無線照度センサ装置５の移動毎に行う。
【００３２】
次に、この照明制御装置１の動作を説明する。まず、照明器具４が調光点灯されると、少なくとも２つの任意の調光率、例えば５０％と１００％により調光点灯時の照度が無線照度センサ装置５により検出され、この照度検出値信号は、その無線照度センサ装置５の無線送信手段により照明器具４の中継器に無線で送信される。
【００３３】
さらに、この照度検出値信号は中継器から信号伝送線３を介して照明コントローラ２の通信手段２ｂにより受信され、照度検出値校正手段２ｄに与えられ、調光度と照度検出値との相対関係の関係式である（１）式が演算され、無線照度センサ装置５の初期値Ｙ１としてメモリ２ａに記録される。この後も、初期値と同一の調光度の５０％と１００％調光点灯時の無線センサ装置５の照度検出値が、その調光度と共に、メモリ２ａに所要期間記録される。
【００３４】
この間、照明器具４は、照明コントローラ２の設定手段２ｂまたは図示省略の設定器により設定された設定値（照度目標値）に一致し、かつ一定するように照明制御手段２ｃによりフィードバック制御される。
【００３５】
この無線照度センサ装置５の照度検出値は、無線照度センサ装置５の長期間使用による塵埃堆積の増加により徐々に低下する。
【００３６】
そこで、照度検出値校正手段２ｄは所定期間経過後、その際に無線照度センサ装置５により検出された照度検出値Ｙ２を上述した校正方法により校正し、この校正値を照明制御手段２ｃに与える。
【００３７】
このために、照明制御手段２ｃは、塵埃の堆積により照度検出値が低下する前の照度検出値と照度目標値との差に基づいて照度目標値で一定するように照明器具４をフィードバック制御する。
【００３８】
したがって、この照明制御装置１によれば、無線照度センサ装置５を長期間使用して塵埃が堆積した場合でも、この無線照度センサ装置５の照度検出精度の低下を抑制することができる。
【００３９】
また、この照度検出精度の低下に起因する電力消費を抑制することができる。
【００４０】
さらに、無線照度センサ装置５の設置箇所が移動した場合には、移動後に再度、この校正データを取り直し記録するので、無線照度センサ装置５の移動後も、その照度検出精度の低下を抑制することができる。
【図面の簡単な説明】
【００４１】
【図１】本発明の一実施形態に係る照明制御装置の一部省略構成図。
【図２】図１で示す照明コントローラの照度検出値校正手段により算出される無線照度センサ装置の照度検出値の初期値と所要時間経過後の実測値とを共に示すグラフ。
【符号の説明】
【００４２】
１…照明制御装置、２…制御装置としての照明コントローラ、２ｃ…照明制御手段、２ｄ…照度検出値校正手段、４…照明器具、５…照度センサとしての無線照度センサ装置、５ｆ…移動検出手段。
【図１】
2009231136.tif 000003
【図２】
2009231136.tif 000004